(57)【要約】      （修正有）【課題】食器類による摩耗が多くコーティングが剥がれ易い部位のみを修理することができて作業の手間が小さく、修理コストも低減される食器洗浄用籠を提供する。【解決手段】籠本体１内に付設され食器類７を支持する食器支持部材３と、籠本体１に開閉自在に設けられた蓋体２と、蓋体２の内部に付設され施蓋時に食器類７を上方から保持する上部保持部材４と、を具備し、籠本体１と蓋体２のコーティング処理は省略され、かつ、食器支持部材３及び上部保持部材４がコーティング処理され、食器支持部材３は一対の平行な支持横杆30，30を有し、上部保持部材４は一対の平行な保持横杆40，40を有している。さらに、籠本体１・蓋体２の両側壁面には貫孔付の取付板片14，15，25が固着され、貫孔に外方から差込まれる内端に受け孔を有する雄ネジ付きボルト部材50と、取付板片14，15，25をボルト部材50と共働きして、挟着するように雄ネジに螺着されるナット部材60とを両側壁面に着脱自在に取付けている。【選択図】図１
0003133461.tif 000002
【実用新案登録請求の範囲】
【請求項１】
上方開口状の籠本体（１）と、該籠本体（１）内に付設され食器類（７）を支持する食器支持部材（３）と、上記籠本体（１）に開閉自在に設けられた蓋体（２）と、該蓋体（２）の内部に付設され施蓋時に上記食器類（７）を上方から保持する上部保持部材（４）と、を具備し、上記籠本体（１）と上記蓋体（２）のコーティング処理は省略され、かつ、上記食器支持部材（３）及び上記上部保持部材（４）がコーティング処理され、上記食器支持部材（３）は一対の平行な支持横杆（30）（30）を有し、上記上部保持部材（４）は一対の平行な保持横杆（40）（40）を有し、
さらに、上記籠本体（１）・蓋体（２）の両側壁面には貫孔（16）付の取付板片（14）（15）（25）が固着され、該貫孔（16）に外方から差込まれる内端に受け孔（51）を有する雄ネジ（52）付きボルト部材（50）と、上記取付板片（14）（15）（25）を該ボルト部材（50）と共働きして、挟着するように上記雄ネジ（52）に螺着されるナット部材（60）とを、設け、上記支持端部（32）・保持端部（42）を各々受け孔（51）に挿入して、上記籠本体（１）・蓋体（２）の両側壁面に着脱自在に取付けたことを特徴とする食器洗浄用籠。
【請求項２】
上記ボルト部材（50）の上記雄ネジ（52）に軸心方向に割り溝部（53）を形成して、上記ナット部材（60）で螺着した際に、上記受け孔（51）に挿入された支持端部（32）又は保持端部（42）を挟圧可能とした請求項１記載の食器洗浄用籠。
【考案の詳細な説明】
【技術分野】
【０００１】
本考案は、食器洗浄用籠に関するものである。
【背景技術】
【０００２】
従来の食器洗浄用籠は、ステンレス製の線材から形成した籠本体の内部に、ステンレス線材から形成した食器受け部材を溶接にて固着し、全体に樹脂系のコーティングを施したものが知られている（例えば、特許文献１参照）。
【特許文献１】特開平１０−１４８５４号公報
【考案の開示】
【考案が解決しようとする課題】
【０００３】
そして、食器類が、籠全体のうち、食器受け部材に頻繁に抜き差しされて摩耗するため、食器受け部材のコーティングが剥がれ易い。しかし、従来の食器洗浄用籠であれば、食器受け部材のみのコーティングの修理が必要な場合であっても、修理の必要のない籠本体のコーティングも一旦取り去って、籠本体と食器受け部材の全体にコーティングを施す修理を行わなければならない。このように、コーティング修理の作業に手間が掛かり、コストも非常に大きくなり、リサイクルの処分に多大な費用が必要となる。
【０００４】
そこで、本考案は、食器類による摩耗が多くコーティングが剥がれ易い部位のみを修理することができて作業の手間が小さく、修理コストも低減される食器洗浄用籠を提供することを目的とする。
【課題を解決するための手段】
【０００５】
上記目的を達成するために、本考案に係る食器洗浄用籠は、上方開口状の籠本体と、該籠本体内に付設され食器類を支持する食器支持部材と、上記籠本体に開閉自在に設けられた蓋体と、該蓋体の内部に付設され施蓋時に上記食器類を上方から保持する上部保持部材と、を具備し、上記籠本体と上記蓋体のコーティング処理は省略され、かつ、上記食器支持部材及び上記上部保持部材がコーティング処理され、上記食器支持部材は一対の平行な支持横杆を有し、上記上部保持部材は一対の平行な保持横杆を有し、さらに、上記籠本体・蓋体の両側壁面には貫孔付の取付板片が固着され、該貫孔に外方から差込まれる内端に受け孔を有する雄ネジ付きボルト部材と、上記取付板片を該ボルト部材と共働きして、挟着するように上記雄ネジに螺着されるナット部材とを、設け、上記支持端部・保持端部を各々受け孔に挿入して、上記籠本体・蓋体の両側壁面に着脱自在に取付けたものである。
【０００６】
また、上記ボルト部材の上記雄ネジに軸心方向に割り溝部を形成して、上記ナット部材で螺着した際に、上記受け孔に挿入された支持端部又は保持端部を挟圧可能としたものである。
【考案の効果】
【０００７】
本考案は、次のような著大な効果を奏する。
本考案に係る食器洗浄用籠は、食器支持部材・上部保持部材のコーティングが剥がれた場合には、籠本体・蓋体から外してコーティングの修理を行うことができる。
つまり、食器類との摩耗によりコーティングが剥がれ易い食器支持部材・上部保持部材についてのみコーティングの修理を行うことができるため、籠本体・蓋体等を含んだ全体について修理を行わなくて済む。よって、修理の手間が少なく、修理コストも大幅に低減できる。また、材料別へのリサイクルの処理に手間が少なく再利用が容易にでき、環境問題にも貢献できる。また、食器類を、食器支持部材・上部保持部材で上下にて保持するので、搬送時や洗浄時に籠の上下左右の向きが変わっても、食器類を脱落させずに収納することができ、破損を防止できる。また、支持端部をボルト部材の受け孔に挿入して、籠本体に食器支持部材を脱着自在に取付けたので、支持端部を脱着の繰り返しによる損傷から防げる。また、支持部に係る食器類の荷重をボルト部材で受けることができるので強度が向上する。また、保持端部をボルト部材の受け孔に挿入して、蓋体に上部保持部材を脱着自在に取付けたので、支持端部を脱着の繰り返しによる損傷から防げる。また、支持部に係る食器類の荷重をボルト部材で受けることができるので強度が向上する。また、ボルト部材の雄ネジに割り溝部を形成して、受け孔に挿入された支持端部を挟圧可能としているので、より確実に強固に取付できる。また、ボルト部材の雄ネジに割り溝部を形成して、受け孔に挿入された保持端部を挟圧可能としているので、より確実に強固に取付できる。
【考案を実施するための最良の形態】
【０００８】
以下、実施の形態を示す図面に基づき、本考案を詳説する。
図１〜図３は、本考案に係る食器洗浄用籠の実施の一形態を示し、この食器洗浄用籠は、上方開口状の籠本体１と、籠本体１に開閉自在に設けられた蓋体２を具備する。籠本体１と蓋体２は、ステンレス線材を組み合わせて形成され、平面視矩形状（長方形状）を有する。
【０００９】
先ず、籠本体１は、ステンレス線材を矩形状（長方形状）に折曲形成し上下方向に離間して配設される複数の横枠材11…と、ステンレス製の縦長帯板材を平面視くの字状に折曲形成し複数の横枠材11…の４隅を夫々上下方向に連結するコーナー柱板10…と、複数の横枠材11…に上下方向に連結状として固着される縦線材12…とを、有する。各部材は（アルゴン）溶接等で固着される。複数の横枠材11…は少なくとも、上縁を成す横枠材11Ａと、下縁を成す横枠材11と、上縁・下縁の中間に配設される横枠材11Ｂとを有する。図例では、計４つの横枠材11…を有する。籠本体１は左右方向に長く、食器類７…は、左右方向に複数枚重ね合わせ状に収納される。
なお、本考案においては、起立状態の食器類７の上面が向く側を右側とし、下面が向く側を左側とし、後述のロック部材９が設けられた側を前側とする。
【００１０】
次に、蓋体２は、ステンレス線材を矩形状（長方形状）に折曲形成し上縁・下縁を成す横枠材21Ａ，21Ｂと、ステンレス製の短帯板材を平面視くの字状に折曲形成し横枠材21Ａ，21Ｂの４隅を夫々上下方向に連結するコーナー柱板20…と、横枠材21Ａ，21Ｂに上下方向に連結状として固着される複数の縦線材22…とを、有する。各部材は（アルゴン）溶接等で固着される。各横枠材21は、籠本体１の横枠材11と同じ形状を有する。
【００１１】
また、図１〜図６において、実施の形態の食器洗浄用籠は、籠本体１内に付設され食器類７を起立状態で複数枚重ね合わせ状に支持する食器支持部材３と、蓋体２の内部に付設され施蓋時に食器類７を上方から一皿ずつ仕切り状に保持する上部保持部材４と、を具備する。そして、食器支持部材３と、上部保持部材４とは、ナイロンやポリプロピレン等の耐熱性を有する合成樹脂にてステンレス線材をコーティング処理されている。なお、籠本体１と蓋体２のコーティング処理は省略されている。また、籠本体１の上縁を成す横枠材11Ａと、蓋体２の下縁を成す横枠材21Ｂの夫々の後側の線材部が、蓋体２を開閉自在とするリング状連結部材13…で繋がれている。
【００１２】
また、食器支持部材３は、平行な一対の左右方向支持横杆30，30と、一対の支持横杆30，30に連結状として両端が固着され各食器類７が差込まれるように支持横杆30の長手方向（左右方向）Ｌ30に所定ピッチ（ 1.2mm〜1.8mm ）で配設された複数の前後方向の食器支持線材31…と、を有する（図４及び図５参照）。
各食器支持線材31は、長手方向Ｌ30から見て略Ｍ型に形成されている。さらに具体的には、食器支持線材31は、略Ｍ型全体のうちの中間の略Ｖ型線部34が前後方向に大きく形成されると共に、略Ｖ型線部34の中央折曲部が、一対の支持横杆30，30よりも下方に突出して形成されている。また、支持線材31は、ステンレス線材から成る（図６参照）。
そして、小外鍔部を有する浅皿状の食器類７を収納する場合、食器類７の外鍔部が隣り合う左右の食器支持線材31，31間に差込まれると共に、この食器類７の弯曲側壁の裏面側が右側の食器支持線材31の略Ｖ型線部34に支持される。隣り合う食器類７…は、小さな間隔で重ね合わせて収納される。
【００１３】
また、一対の支持横杆30，30のうちの前側の支持横杆30Ａは、その両支持端部32Ａ，32Ａ近傍が順に上方・長手方向Ｌ30に折曲げ形成され後述する残飯受け部材８の軌道を回避するための回避部33，33を有する。仮に回避部33が形成されていないと、残飯受け部材８が、揺動途中で支持端部32Ａ近傍に当たってしまう。
【００１４】
また、食器支持部材３の一対の支持横杆30，30は、水平面Ｈから所定角度θをもって傾斜状に（右側へ上傾状に）籠本体１に付設される。所定角度θは、５°〜10°に設定されて、食器支持部材３に収納された食器類７は、その上面が僅かに上方を向くように保持される（図３参照）。
【００１５】
次に、上部保持部材４は、平行な一対の左右方向保持横杆40，40と、一対の保持横杆40，40に連結状として両端が固着され各食器類７の上部が差込まれるように保持横杆40の長手方向（左右方向）Ｌ40に所定ピッチで配設された複数の前後方向保持線材41…とを有する。保持線材41…は、食器支持部材３の食器支持線材31…と同じピッチで形成される。また、保持線材41は、ステンレス線材から成る（図４参照）。
【００１６】
また、六角頭とテーパー状の雄ネジ52とを有するボルト部材50を備えている。このボルト部材50の実施例を図11に示す。（ａ）は、側面図であり、（ｂ）は、斜視図である。このボルト部材50は、雄ネジ52の内端に（軸方向へ）受け孔51を形成している。受け孔51は、支持部材３の支持端部32及び上部保持部材４の保持端部42がコーティング処理された状態で、各々抜き差し自在に受けることが可能な大きさに形成している。また、所定の寸法（設計寸法）での雄ネジ52と受け孔51の軸心方向の長さは、支持・保持端部32，42を各々充分に飲込み（挿入）可能に形成している。さらに、ボルト部材50の雄ネジ52に軸心方向に割り溝部53を形成している。また、雄ネジ52に螺着して、割り溝部53及び受け孔51を狭めることが可能なナット部材60を備えている。
【００１７】
ここで、籠本体１と食器支持部材３の分解斜視説明図を図８に示す。
籠本体１の、左右両側壁部に前後２枚ずつ（計４枚）溶接によって固着された金属製の取付板片14，15を設けている。取付板片14，15は、ボルト部材50の雄ネジ52が充分に挿通可能な大きさの貫孔16を形成している。また、籠本体１の左右各側の前後の取付板片14，15のうち前側取付板片14は、上述の支持横杆30Ａの回避部33に対応して、後側取付板片15の貫孔16よりも高い位置に、貫孔16を有する。そして、ボルト部材50の雄ネジ52を籠本体１の外側から各取付板片14，15の貫孔16に挿通させ、ナット部材60に支持横杆30の支持端部32を挿通して、支持横杆30の支持端部32をボルト部材50の受け孔51に挿入した後、ナット部材60を雄ネジ52に螺着させている。つまり、ボルト部材50とナット部材60が、共働きすることによって取付板片14，15に挟着して、籠本体１の両壁面に食器支持部材３の支持端部32を着脱自在に取り付けている。
【００１８】
ここで、蓋体２と上部保持部材４の分解斜視説明図を図10に示す。
蓋体２の、左右両壁部に左右１枚ずつ（計２枚）溶接によって固着された金属製の取付板片25を設けている。取付板片25は、ボルト部材50の雄ネジ52が充分に挿通可能な大きさの貫孔16を前後に２箇所形成している。そして、籠本体１と食器支持部材３と同様にボルト部材50とナット部材60を用いて、蓋体２と上部保持部材４を着脱自在に取り付けている。つまり、ボルト部材50の雄ネジ52を蓋体２の外側から取付板片25の貫孔16に挿通させ、ナット部材60に保持横杆40の保持端部42を挿通して、保持横杆40の保持端部42をボルト部材50の受け孔51に挿入した後、ナット部材60を雄ネジ52に螺着させている。よって、ボルト部材50とナット部材60が、共働きして取付板片25に挟着して、上部保持部材４が蓋体２に着脱自在に取り付けている。
【００１９】
また、籠本体１の上縁を成す横枠材11Ａは、前側線材部の中央に、後述の残飯受け部材８に接続された鎖部材17が通される小リング部19が固着されている。
【００２０】
また、図１〜図３，図７，図８に示したように、籠本体１内に食器支持部材３の下方と前方の間を揺動自在に保持される残飯受け部材８を具備する。残飯受け部材８は、ステンレス板材を左右横長浅皿状に形成したものである。そして、受け部材８は、左右両側に揺動アーム18，18の下端が固着され、アーム18，18の上端が、籠本体１の中間横枠材11Ｂの左右の線材部に枢着されている。また、受け部材８は、前縁の中央に引っ張り用鎖部材17の一端（下端）が接続されている。鎖部材17の他端（上端）は、上述の籠本体１に付設された小リング部19に通されている。
【００２１】
また、図８と図９において、籠本体１には、プラスチック等の耐熱性を有する樹脂製のネームプレート体５が着脱自在に取り付けられる。ネームプレート体５は、平板状に形成されると共に、一対の縦辺部が平面視小半円弧状に形成され籠本体１の縦線材12，12を着脱自在として両側から挟む把持部37，37を有している。
【００２２】
また、籠本体１の横枠材11…は、その前側の線材部に、蓋体２の横枠材21にロック・解除自在なロック部材９が付設されている。
【００２３】
また、籠本体１の中間横枠材11Ｂの左右の線材部に、ステンレス線材を弯曲状に形成した把手部材６，６が溶接等で固着されている。さらに、各把手部材６は、中央へ上向きに弯曲状に形成され、かつ、両端が横枠材11Ｂに固着されており、籠本体１から左右側方へは突出しないように設けている。
【００２４】
なお、本考案は、設計変更可能であって、例えば、図２に示す、蓋体２の施蓋状態で、上部保持部材４が水平面Ｈ状に付設されているが、設計変更して、上部保持部材４を、食器支持部材３と同じ角度θをもって傾斜状に蓋体２に付設するも自由であり、食器支持部材３と上部保持部材４の上下方向の間隔が左右方向全範囲において均一となり、全ての食器類７…を安定した状態で収納できる。
また、ネームプレート体５は、学校名やクラス名等の情報を備えた認識（ＩＣ）チップ38が内蔵されるもよい。
また、食器支持部材３の食器支持線材31と、上部保持部材４の上部保持線材41を設けないことで、お碗型の食器類（どんぶり状の食器類）等の様々な形状の食器に対応できるようにしても良い。
また、ボルト部材50の形状は、雄ネジ52に割り溝を形成しない形状でも良い。ここで、、ボルト部材50の他の実施例を図14〜図16に示す。（ａ）は平面図であり、（ｂ）は、側面図である。図14に示すような雄ネジ52がストレートネジでも良い。また、図15に示すように頭部は六角孔付頭でも良い。また、図16に示すように十文字孔付頭でも良いし、図示省略するが、一文字状溝（マイナス溝）を有する頭であってもよい。即ち、ボルト部材50の頭部は螺脱着を容易にする形状が望ましい。
【００２５】
上述した実施の形態の食器洗浄用籠の作用（使用方法）について説明する。
食事後の食器類７を、食器支持部材３の食器支持線材31に差込み、起立状態で重ね合わせて支持させる。そして、蓋体２を閉じると、各食器類７の上部は、上部保持部材４の隣り合う上部保持線材41，41間に嵌まって仕切状に保持される。そして、ロック部材で確実にロックし施蓋する。また、残飯受け部材８は、フリー状態では自重により、食器支持部材３の下方に存在して（図３の実線の状態）、食器類７に付着した残飯を受けている。
【００２６】
そして、洗浄する前に、鎖部材17を引っ張り上げて残飯受け部材８が食器支持部材３の前方へ揺動して傾斜状にさせ（図３の二点鎖線の状態）、残飯を洗い落とし易くする。その後、ノズルで洗浄水（湯）を噴射して行う洗浄工程や消毒工程が完了したら、ロック部材９を解除して蓋体２を開け、食器類７を取り出し食器洗浄が終了となる。ところが、食器類７と、食器支持部材３・上部保持部材４との摩耗が繰り返されることにより、食器支持部材３と上部保持部材４のコーティングが剥がれ落る。その際、ボルト部材50とナット部材60による螺着を外し、各々を、籠本体１、蓋体２から外して再コーティング処理を行う。そして、再処理後の食器支持部材３を籠本体１にボルト部材50とナット部材60を用いて取付け、かつ、修理後の上部保持部材４を蓋体２にボルト部材50とナット部材60を用いて取付ける。
このように、再コーティング処理のときは、食器支持部材３・上部保持部材４についてのみ行う。
【００２７】
ここで、ボルト部材50とナット部材60による取付方法及び作用について説明する。また、図12に、ボルト部材50とナット部材60の分解状態での要部拡大断面図を示し、図13に、ボルト部材50とナット部材60の組立状態での要部拡大断面図を示す。
ボルト部材50の雄ネジ52を貫孔16に外側から挿通させる。また、支持・保持端部32，42各々にナット部材60を挿通させ、受け孔51に支持・保持端部32・42を各々挿入させる。ここで、食器支持部材３の支持端部32や上部保持部材４の保持端部42が、生産上の理由や食器の重み等の使用上の理由により前後上下の間隔が歪んでいる場合、貫孔16と雄ネジ52の隙間寸法内で、ボルト部材50（受け孔51）の位置を前後上下調節して支持・保持端部32，42を受け孔51に挿入する。（貫孔16は、ボルト部材50の雄ネジ52が充分に挿通可能な大きさに形成されているため隙間がある。）また、食器支持部材３・上部保持部材４の長手方向（左右方向）Ｌ30，Ｌ40の寸法が生産上の理由や食器の重み等の撓みによる使用上の理由により左右の長さが設計上の所定の寸法でない（長かったり短かったりする）際に、例えば食器支持部材３の取付けでは、一方（右側）の支持端部32を受け孔51に挿入し、他方（左側）の支持端部32を受け孔51に挿入した後に、食器支持部材３を左右に往復させて、左右の受け孔51，51への支持端部32，32の受け（係り）を均等にする。そして、上述のように、受け孔51に支持・保持端部32，42を挿入後、ナット部材60を雄ネジ52に螺着させる。すると、雄ネジ52はテーパネジであり、かつ、軸心方向に割り溝部53を形成しているので、ナット部材60で螺着することにより、受け孔51は狭まり、受け孔51に挿入された支持・保持端部32，42を挟圧すると共に、ボルト部材50とナット部材60が共働きして取付板片14，15，25に挟着する。よって、籠本体１に食器支持部材３を、蓋体２に上部保持部材４を、螺着により各々脱着自在に取付けている。
【００２８】
以上のように、本考案に係る食器洗浄用籠は、上方開口状の籠本体１と、籠本体１内に付設され食器類７を支持する食器支持部材３と、籠本体１に開閉自在に設けられた蓋体２と、蓋体２の内部に付設され施蓋時に食器類７を上方から保持する上部保持部材４と、を具備し、籠本体１と蓋体２のコーティング処理は省略され、かつ、食器支持部材３及び上部保持部材４がコーティング処理され、食器支持部材３は一対の平行な支持横杆30，30を有し、上部保持部材４は一対の平行な保持横杆40，40を有し、さらに、籠本体１・蓋体２の両側壁面には貫孔16付の取付板片14，15，25が固着され、貫孔16に外方から差込まれる内端に受け孔51を有する雄ネジ52付きボルト部材50と、取付板片14，15，25をボルト部材50と共働きして、挟着するように雄ネジ52に螺着されるナット部材60とを、設け、支持端部32・保持端部42を各々受け孔51に挿入して、籠本体１・蓋体２の両側壁面に着脱自在に取付けたので、食器支持部材３は、支持横杆30の両支持端部32，32と籠本体１との螺着により着脱自在であり、かつ、上部保持部材４は、保持横杆40の両保持端部42，42と蓋体２との螺着により着脱自在であるので、簡易な構成でありながら、食器支持部材３・上部保持部材４の着脱作業を容易にすることができ、修理作業の手間を少なくすることができる。また、食器支持部材３・上部保持部材４のコーティングが剥がれた場合には、籠本体１・蓋体２から外してコーティング修理することができる。つまり、食器類７との摩耗によりコーティングが剥がれ易い食器支持部材３・上部保持部材４についてのみ修理を行うことができるため、籠本体１・蓋体２等を含んだ全体については修理を行わなくて済む。よって、修理の手間が少なく、修理コストも大幅に低減でき、合理的に作業ができる。また、搬送時や洗浄時等に外部との摩耗の多い籠本体１・蓋体２はコーティングが省略されているので、手間が一層低減される。また、食器支持部材３を籠本体１から分別してリサイクルし、かつ、上部保持部材４を蓋体２から分別してリサイクル可能であるので、部品別にリサイクルする処理の手間が少なくて済み、再利用が容易となり、環境問題にも貢献できる。また、食器類７を、食器支持部材３・上部保持部材４で上下にて保持するので、搬送時や洗浄時に籠の上下左右の向きが変わっても、食器類７を脱落させずに収納することができ、破損を防止できる。
【００２９】
また、食器支持部材３や上部保持部材４に係る荷重をボルト部材50の受け孔51で受けることができるので、強度が増すと共に、支持端部32や保持端部42に応力集中が起こりにくく、変形や破損を防止できる。また、支持・保持端部32，42をネジ加工して（雄ネジや雌ネジにして）籠本体１や蓋体２に取着しないので、支持・保持端部32，42にコーティング処理がおこなわれても、コーティング除去処理又はネジ加工部を保護してコーティング処理する必要がなく、コーティングが容易かつ迅速におこなえる。また、取付用ネジ部を大きくできるので、繰り返しの螺着によるネジの摩耗や損傷を軽減できると共に、より強い締付力で螺着できる。また、万が一螺着作業で締め過ぎてボルト部材50やナット部材60が使用できなくなっても、交換が安価で容易にできる。
さらに、支持・保持端部32，42が生産上の理由や使用上の理由によって所定（設計）寸法でなくとも、貫孔16とボルト部材50の取付の間隙寸法や受け孔51の（飲込み）深さの間隙寸法によって誤差を吸収し、容易に取付けができる。言いかえると、生産時では組立許容公差（部品同士の組立公差）を緩和でき生産コストを低減できると共に、使用後の修理（歪み直し等）が減少でき、ランニングコストを低減できる。
【００３０】
また、ボルト部材50の雄ネジ52に軸心方向に割り溝部53を形成して、ナット部材60で螺着した際に、受け孔51に挿入された支持端部32又は保持端部42を挟圧可能としたので、より、確実に支持・保持端部32，42を受け孔51で受けることができる。また、支持・保持端部32，42が万が一摩耗により細くなっていても挟圧して確実に挟持できる。
【００３１】
また、食器支持部材３は、籠本体１内に着脱自在に付設される平行な一対の横杆30，30と、一対の横杆30，30に連結状として両端が固着され各食器類７が差込まれるように横杆30の長手方向Ｌ30に所定ピッチで配設された複数の食器支持線材31と、を有し、各食器支持線材31は、長手方向Ｌ30から見て略Ｍ型に形成させれば、食器類７を容易かつ確実に（熟練を要さずに）起立状態に支持させることができる。しかも、隣り合う食器類７，７の間隔を狭くして支持させることができ、コンパクトな大きさの籠でありながら、多くの食器類７…を収納できる。また、従来の籠は、一対の支持杆が、籠本体１の底の離間した位置から、相互に反対側へ上傾状に立設されているものがあり（図示省略）、食器類７を起立状態に差込むのに熟練を要したが、小学校の児童等であっても、食器類７を容易に起立状態に支持させることができる。
【００３２】
また、上部保持部材４は、蓋体２に着脱自在に付設される平行な一対の横杆40，40と、一対の横杆40，40に連結状として両端が固着され各食器類７の上部が差込まれるように横杆40の長手方向Ｌ40に所定ピッチで配設された複数の保持線材41…とを有するようにすれば、食器類７を、食器支持部材３に起立状に支持した状態で、安定して保持することができる。
【００３３】
また、食器支持部材３の食器支持線材31と、上部保持部材４の上部保持線材41と、を設けなければ、お碗型の食器類（どんぶり状の食器類）等の様々な形状の食器に対応できる。
【００３４】
また、食器支持部材３の一対の横杆30，30は、水平面Ｈから所定角度θをもって傾斜状に籠本体１に付設すれば、食器類７を起立状態から少し傾斜させて保持でき、安定した状態に収納することができる。
【００３５】
また、籠本体１に着脱自在に取付けられる樹脂製のネームプレート体５を備えれば、運搬時等に手の怪我を防ぐことができる。また、ネームプレート体５は樹脂製なので、洗浄（消毒）用の湯に対しても耐久性を有し、長期間の使用に耐えることができる。また、従来の籠は、ネームプレートがアルミ板やステンレス板で形成されて、籠本体１に線材にて巻付けて取付けられていたため、使用時や製造時にプレートの外縁部で手を怪我する危険があったが、ネームプレート体５の上縁・下縁をアール状に形成することで、小学校の児童等が使用する場合であっても、手の怪我を防ぐことができる。
【００３６】
また、ロック部材を設けることにより、蓋体２が不意に開くことがなく、食器類７は食器支持部材３・上部保持部材４により挟持された状態となるため、籠の前後左右の向きが洗浄中や搬送中や消毒中等に変わっても、食器類７が脱落しなようになっている。
【００３７】
また、従来の籠は、例えば、線材を螺旋状に形成した把持部材をコの字状のアームに付設し、アームの両端を籠本体に揺動自在に取付けたものがあるが、洗浄時に、把持部材が外れて飛ぶことがあり、洗浄ノズル等が破損する虞れがあった。また、籠本体の外部側にぶら下がり全体の形状が大きくなった。これに対し、実施の形態のように把手部材６を構成すれば、外れて飛ぶ危険がなく安全である。また、各把手部材６は弯曲状に形成されているため、手にフィットして運搬し易い。また、両端が横枠材11Ｂに固着されており、籠本体１から左右側方へは突出させていないので、破損が防がれかつコンパクトに納まる。
【図面の簡単な説明】
【００３８】
【図１】本考案に係る食器洗浄用籠の実施の一形態を示す斜視図である。
【図２】本考案に係る食器洗浄用籠の実施の一形態を示す正面図である。
【図３】本考案に係る食器洗浄用籠の実施の一形態を示す説明用側面図である。
【図４】説明用要部斜視図である。
【図５】食器支持部材の一例を示す正面図である。
【図６】食器支持部材の一例を示す拡大側面図である。
【図７】残飯受け部材の一例を示す斜視図である。
【図８】籠本体と食器支持部材の分解状態を示す説明用要部斜視図である。
【図９】図８のイ−イ断面図である。
【図１０】蓋体と上部保持部材の分解状態を示す説明用要部斜視図である。
【図１１】ボルト部材の一例を示す説明図である。
【図１２】要部拡大断面図である。
【図１３】要部拡大断面図である。
【図１４】ボルト部材の他の実施例を示す図であり、（ａ）は、平面図であり、（ｂ）は、側面図である。
【図１５】ボルト部材の別の実施例を示す図であり、（ａ）は、平面図であり、（ｂ）は、側面図である。
【図１６】ボルト部材のさらに別の実施例を示す図であり、（ａ）は、平面図であり、（ｂ）は、側面図である。
【符号の説明】
【００３９】
１  籠本体
２  蓋体
３  食器支持部材
４  上部保持部材
７  食器類
14  取付板片
15  取付板片
16  貫孔
25  取付板片
30  支持横杆
32  支持端部
40  保持横杆
42  保持端部
50  ボルト部材
51  受け孔
52  雄ネジ
53  割り溝部
60  ナット部材
【図１】
0003133461.tif 000003
【図２】
0003133461.tif 000004
【図３】
0003133461.tif 000005
【図４】
0003133461.tif 000006
【図５】
0003133461.tif 000007
【図６】
0003133461.tif 000008
【図７】
0003133461.tif 000009
【図８】
0003133461.tif 000010
【図９】
0003133461.tif 000011
【図１０】
0003133461.tif 000012
【図１１】
0003133461.tif 000013
【図１２】
0003133461.tif 000014
【図１３】
0003133461.tif 000015
【図１４】
0003133461.tif 000016
【図１５】
0003133461.tif 000017
【図１６】
0003133461.tif 000018